(57)【要約】【課題】緩衝板の厚さ及びこれに取り付けるソケットの嵌合溝が高い精度で形成されていなくとも、ソケットに緩衝板の一端部を容易に取り付けることができ、その取り付け後にはソケットが緩衝板をしっかりと保持して設置時の位置ずれを生じることのない緩衝板及び目地材設置用ソケットを提供すること。【解決手段】緩衝板及び目地材設置用ソケット１０Ａは、一端側が開口した横断面コ字形の嵌合溝１２を備えている。嵌合溝１２の他端側における挟持壁１３ａ，１３ｂの端部と空間部３１の対向側壁３１ａ，３１ｂの端部との間にはスリット１４が形成され、嵌合溝１２の各挟持壁１３ａ，１３ｂは、嵌合溝１２の外側でスリット１４を跨ぐように形成された可撓性の連結部１５ａ，１５ｂにより空間部３１の対向側壁３１ａ，３１ｂに接続されている。【選択図】図１
2008308947.tif 000002
【特許請求の範囲】
【請求項１】
所定スパンで形成されるコンクリート製の壁と壁、又は前記壁と柱との間隔部に緩衝板を設置し、前記間隔部における前記壁の表面側に目地材を充填したコンクリート構造体を構築するとき、前記緩衝板における壁厚方向の端部を支持すると共に目地材充填部を形成する緩衝板及び目地材設置用ソケットであって、
該ソケットが、前記緩衝板の前記端部を保持するソケット部と、目地材充填用溝部を少なくとも備える目地材保持部とを有し、
前記ソケット部は、相対向する挟持壁を備え、前記壁厚方向の一端側に開口し、該開口から前記緩衝板の前記端部を嵌め込む横断面コ字形の嵌合溝と、該嵌合溝の他端側における前記挟持壁の端部と前記目地材保持部との間に形成されたスリットとを備え、
前記各挟持壁が、前記嵌合溝の外側で前記スリットを跨ぐように形成された可撓性の連結部により前記目地材保持部の各側壁に接続され、
前記各挟持壁にその内側から外側に向かって外力が加わったとき、前記連結部が撓んで前記各挟持壁を前記嵌合溝の外側へ広げて該嵌合溝の幅を拡張可能にすることを特徴とする緩衝板及び目地材設置用ソケット。
【請求項２】
前記目地材保持部が、前記ソケット部と前記目地材充填用溝部との間に詰め物保持用の収容部を備え、前記スリットが、前記嵌合溝の前記他端側における前記挟持壁の端部と前記収容部の対向側壁の各端部との間に形成されている請求項１に記載の緩衝板及び目地材設置用ソケット。
【請求項３】
前記嵌合溝の前記他端側と前記収容部との間に前記嵌合溝と前記収容部との界壁となる仕切り板が配置され、該仕切り板が、その両側部を前記スリットに挿入して着脱可能に取り付けられている請求項１又は２に記載の緩衝板及び目地材設置用ソケット。
【請求項４】
前記スリットから突出する前記仕切り板の前記両側部にそれぞれ係止爪が形成され、該各係止爪が、前記嵌合溝の前記各挟持壁及び前記収容部の前記対向側壁のいずれかの外側面に対峙すべく前記仕切り板の前記両側部をＬ字状に曲げて形成されている請求項３に記載の緩衝板及び目地材設置用ソケット。
【請求項５】
前記仕切り板の前記両側部に形成された前記係止爪が、前記各挟持壁の外側面に対峙すべく前記仕切り板の前記両側部をＬ字状に曲げて形成されるとき、前記両係止爪間の幅寸法が、前記両挟持壁にその内側から外力が及ぼされていない状態での前記両挟持壁の前記外側面間の幅寸法より僅かに大きく形成されている請求項３に記載の緩衝板及び目地材設置用ソケット。
【請求項６】
前記連結部が、前記収容部の前記対向側壁に一端を連結し、該一端から前記挟持壁の外側方へ向かって湾曲しながら延びる可撓性の第１連結片と、該第１連結片の他端と前記挟持壁の外側面とを連結する第２連結片とから形成され、前記第２連結片が、前記挟持壁の前記外側面にほぼ直交して外方へ延びている請求項４又は５に記載の緩衝板及び目地材設置用ソケット。
【発明の詳細な説明】
【技術分野】
【０００１】
本発明は、緩衝板及び目地材設置用ソケットに関し、更に詳細には、例えば鉄筋コンクリート造の建造物におけるコンクリート製所定スパンの壁と壁との間、また壁と柱との間などに設置するクッション性の緩衝板や目地材を支持するためのソケットに関する。
【背景技術】
【０００２】
鉄筋コンクリート造（ＲＣ造）や鉄骨鉄筋コンクリート造（ＳＲＣ造）などのコンクリート構造体では、地震などによる比較的に大きな揺れを受けたとき、コンクリート壁やコンクリート柱（以下、コンクリート構造体という）にクラックが入ったり、破壊したりするのを防ぐ目的から、所定スパンの壁と壁との間又は壁と柱との間に隙間を形成し、その隙間に発泡合成樹脂などのようなクッション性のある緩衝板を配置して耐震補強を図ることが知られている。
【０００３】
この緩衝板は、コンクリート構造体を建築する際に、コンクリート壁や柱形成用の型枠建て込み時に所定位置に設置される。そのため、この緩衝板をコンクリート打設時まで所定位置に支持するための道具として、緩衝板の壁厚方向端部にはソケットが嵌め込まれ、このソケットを配筋に固定するなどして緩衝板が所定位置に支持される。ところで、緩衝板が設置されているコンクリート製の壁と壁との隙間、又は壁と柱との隙間の壁外面側には、目地材が配置されるので、ソケットの壁外面側には、目地材を充填するための溝部も形成されている。
【０００４】
このようなソケットは、例えば、特許文献１に開示された耐震補強装置に用いられていることからもよく知られている。特許文献１に記載されている耐震補強装置に用いられているソケットは、保持部材と称され、前述した目地材充填用の溝部の反対側に横断面コ字形の嵌合溝を備え、この嵌合溝の開口部から緩衝板の端部を挿入し、嵌合溝を形成する相対向する側壁板でその表裏面を挟持するものである。
【特許文献１】特開２００３−２３９５６５号公報
【発明の開示】
【発明が解決しようとする課題】
【０００５】
一般的に、この種のソケットは、緩衝板を確実に保持するため比較的に硬質の合成樹脂で形成されていることから緩衝板を嵌め込む溝を簡単に広げることはできない。すなわち、緩衝板嵌め込み溝を区画している対向側壁は撓み性を備えていない。その理由は、緩衝板を挟持する嵌め込み溝の対向側壁が容易に曲がるような素材、或いはそのような肉厚で形成されていると、緩衝板の表面に対する挟持力が低下することになるので、緩衝板にソケットを取り付けた組み立て体の設置時に緩衝板の位置ずれなどの問題が起こりやすいからである。このようなことから、緩衝板は、その厚さがソケットの嵌め込み溝の幅寸法にほぼ正確に形成されていないと嵌め込むことが困難となる。
【０００６】
そのため、従来のソケットや緩衝板は、その嵌め込み溝の幅寸法及び厚さが設計寸法になるように高い精度で形成される必要がある。その結果、これらの成形及び製造には、必然的にコストが高くなり、それがこの種のコンクリート構造体の建築費用に影響を与える、という問題があった。
【０００７】
本発明の目的は、かかる従来の問題点を解決するためになされたもので、緩衝板の厚さ及びこれに取り付けるソケットの嵌合溝が高い精度で形成されていなくても、ソケットの嵌合溝に緩衝板の一端部を容易に取り付けることができ、しかもその取り付け後にはソケットが緩衝板をしっかりと保持して設置時の位置ずれなどを生じることのない緩衝板及び目地材設置用ソケットを提供することにある。
【課題を解決するための手段】
【０００８】
本発明は、所定スパンで形成されるコンクリート製の壁と壁、又は前記壁と柱との間隔部に緩衝板を設置し、前記間隔部における前記壁の表面側に目地材を充填したコンクリート構造体を構築するとき、前記緩衝板における壁厚方向の端部を支持すると共に前記目地材充填部を形成する緩衝板及び目地材設置用ソケットであり、その特徴とするところは、前記ソケットが、前記緩衝板の前記端部を保持するソケット部と、目地材充填用溝部を少なくとも備える目地材保持部とを有し、前記ソケット部は、相対向する挟持壁を備え、前記壁厚方向の一端側に開口し、該開口から前記緩衝板の前記端部を嵌め込む横断面コ字形の嵌合溝と、該嵌合溝の他端側における前記挟持壁の端部と前記目地材保持部との間に形成されたスリットとを備え、前記嵌合溝の前記各挟持壁が、前記嵌合溝の外側で前記スリットを跨ぐように形成された可撓性の連結部により前記目地材保持部の前記各側壁に接続され、前記各挟持壁にその内側から外側に向かって外力が加わったとき、前記連結部が撓んで前記各挟持壁を前記嵌合溝の外側へ広げて該嵌合溝の幅を拡張可能にすることにある。
【０００９】
本発明の緩衝板及び目地材設置用ソケットにおける好ましい一つの実施態様としては、前記目地材保持部が、前記ソケット部と前記目地材充填用溝部との間に詰め物保持用の収容部を備え、前記スリットが、前記嵌合溝の前記他端側における前記挟持壁の端部と前記収容部の対向する側壁の各端部との間に形成されていることである。
【００１０】
本発明の緩衝板及び目地材設置用ソケットにおける好ましい他の実施態様としては、前記嵌合溝の前記他端側と前記収容部との間に前記嵌合溝と前記収容部との界壁となる仕切り板が配置され、該仕切り板が、その両側部を前記スリットに挿入して着脱可能に取り付けられていることである。
【００１１】
また、本発明の緩衝板及び目地材設置用ソケットにおける好ましい他の実施態様としては、前記スリットから突出する前記仕切り板の前記両側部にそれぞれ係止爪が形成され、該各係止爪が、前記嵌合溝の前記各挟持壁及び前記収容部の前記対向側壁のいずれかの外側面に対峙すべく前記仕切り板の前記両側部をＬ字状に曲げて形成されていることである。
【００１２】
さらに、本発明の緩衝板及び目地材設置用ソケットにおける好ましい他の実施態様としては、前記仕切り板の前記両側部に形成された前記係止爪が、前記各挟持壁の外側面に対峙すべく前記仕切り板の前記両側部をＬ字状に曲げて形成されるとき、前記両係止爪間の幅寸法が、前記両挟持壁にその内側から外力が及ぼされていない状態での前記両挟持壁の前記外側面間の幅寸法より僅かに大きく形成されていることである。
【００１３】
さらに、本発明の緩衝板及び目地材設置用ソケットにおける好ましい他の実施態様としては、前記連結部が、前記収容部の前記対向側壁に一端を連結し、該一端から前記挟持壁の外側方へ向かって湾曲しながら延びる可撓性の第１連結片と、該第１連結片の他端と前記挟持壁の外側面とを連結する第２連結片とから形成され、前記第２連結片が、前記挟持壁の前記外側面にほぼ直交して外方へ延びていることである。
【発明の効果】
【００１４】
本発明の緩衝板及び目地材設置用ソケットによれば、緩衝板の端部を嵌め込む嵌合溝を画成する相対向する挟持壁がそれぞれスリットにより目地材保持部と不連続にされ、これら挟持壁が、スリットをその外側で跨ぐように配置された可撓性の連結部で目地材保持部に接続されているので、緩衝板の厚さが嵌合溝の幅寸法が多少大きくても、緩衝板の壁厚方向端部を強制的に嵌合溝に押し込むことにより連結部が撓んで挟持壁が外側に開き、嵌合溝の幅が拡張される。これにより、ソケットの嵌合溝や緩衝板が寸法的に高精度に製作されていなくとも緩衝板の壁厚方向端部をソケットの嵌合溝に嵌め込むことができる。
【００１５】
また、本発明の緩衝板及び目地材設置用ソケットによれば、ソケットの嵌合溝を形成する相対向する挟持壁が、不燃材などを詰める詰め物用の収容部の対向側壁に可撓性の連結部で繋がっているので、ソケットの嵌合溝や緩衝板が寸法的に高精度に製作されていなくとも緩衝板の壁厚方向端部をソケットの嵌合溝に容易に嵌め込むことができ、同時に緩衝板及び目地材設置用ソケットの耐火性能を高めることができる。
【００１６】
また、本発明の緩衝板及び目地材設置用ソケットによれば、嵌合溝と不燃材などを詰める詰め物用の収容部とが着脱可能な仕切り板により仕切られているので、収容部に不燃材などを入れる場合に仕切り板を外して嵌合溝の開口部から入れることができるので、不燃材の収容部への充填作業が非常に容易にでき、その結果、ソケットの組み立て作業時間の短縮化と組み立て労力の軽減化を図ることができる。
【００１７】
また、本発明の緩衝板及び目地材設置用ソケットによれば、嵌合溝と収容部とを仕切る仕切り板の両側部にそれぞれ係止爪が形成され、これら係止爪が、嵌合溝の各挟持壁及び収容部の対向側壁のいずれかの外側面に対峙すべく仕切り板の両側部をＬ字状に曲げて形成されているので、仕切り板が嵌合溝の幅方向に外れることがない。
【００１８】
さらに、本発明の緩衝板及び目地材設置用ソケットによれば、仕切り板の両側部に形成された係止爪が、嵌合溝の各挟持壁の外側面に対峙すべく仕切り板の両側部をＬ字状に曲げて形成されるとき、この係止爪が挟持壁の広がりを所定位置で規制する作用（ストッパーとしての機能）を有することになるので、該ソケットに本来取り付けるべきではない厚さの大きい緩衝板を誤って無理に押し込んで取り付けようとした時に挟持壁を破損させることから防止できる。
【００１９】
さらにまた、本発明の緩衝板及び目地材設置用ソケットによれば、連結部が、収容部の各側壁から挟持壁の外側方へ向かって湾曲しながら延びる第１連結片と、該第１連結片の端部と挟持壁の外側面とを連結する第２連結片とから形成され、第２連結片が、挟持壁の外側面にほぼ直交して外方へ延びているので、嵌合溝にその幅寸法より若干大きな厚さの緩衝板を圧入するとき第１連結片が撓んで挟持壁が拡張することになり、これにより挟持壁の端部における外側部を支点にして挟持壁が拡張するので挟持壁全体を外側にほぼ平行移動するように拡張することができ、よって拡張後も挟持壁が緩衝板の表裏面をしっかり把持して保持することができるので、緩衝板がソケットに対して位置ずれを起こすこともない。
【発明を実施するための最良の形態】
【００２０】
以下、本発明の緩衝板及び目地材設置用ソケット（以下、単に「ソケット」、と称する）を添付の図に示された好適な実施形態についてさらに詳細に説明する。図１は、本発明における第１の実施形態に係るソケット１０Ａを示す斜視図、図２は、ソケット１０Ａの嵌合溝にその幅寸法より若干厚さが大きい緩衝板Ｐの壁厚方向端部を嵌め込んで示す平面図である。このソケット１０Ａは、例えば、所定スパンで形成されたコンクリート造の壁Ｗと壁Ｗとの間隔部Ｓに緩衝板Ｐを設置し、この間隔部Ｓにおける壁Ｗの表面側に目地材（図示せず）を充填したコンクリート構造体を構築するとき、緩衝板Ｐにおける壁厚方向（図１において矢印Ｘで示す方向）の端部を支持すると共に目地材の充填部を形成するものである。
【００２１】
ソケット１０Ａは、基本的に、緩衝板Ｐの端部を保持するソケット部１１と、目地材などを保持する目地材保持部２０とを備えている。更に、ソケット部１１は、緩衝板Ｐの端部を嵌め込む嵌合溝１２を、また目地材保持部２０は、目地材を充填する溝部２１を備えている。ソケット１０Ａは、これら嵌合溝１２と目地材充填用溝部２１とが壁厚方向Ｘに一列に整列するように一体的に形成された硬質プラスチック製の長尺材である。嵌合溝１２は、相対向する挟持壁１３ａ，１３ｂ間の空間部で構成され、その壁厚方向Ｘの一端側が開口（開口部を符号１３ｃで示す）し、他端側が底壁２２により閉鎖され、開口１３ｃから緩衝板Ｐの端部を嵌め込む横断面コ字形を呈している。ソケット１０Ａは、嵌合溝１２の一端側（開口部１３ｃ側）を壁厚方向Ｘの内方へ向け、また、それとは反対側の端部、即ち他端側を壁厚方向Ｘの外方へ向けて間隔部Ｓに設置されることから、この一端側を内端側と称し、他端側を外端側と称することにする。
【００２２】
目地材充填用溝部２１は、嵌合溝１２の底壁２２を挟んで嵌合溝１２の反対側に形成され、嵌合溝１２とは反対方向に開口している。従って、底壁２２は、嵌合溝１２と目地材充填用溝部２１とに共通した隔壁板である。目地材充填用溝部２１は、底壁２２の両側部にそれぞれ基部２３ａを接続した２つの翼２３と、底壁２２とで形成されている。各翼２３の先端部２３ｂどうしの間隔は、底壁２２に接続されている各基部２３ａどうしの間隔よりも若干広く、したがって目地材充填用溝部２１は、横断面がほぼ台形状とされている。この溝部２１には、コンクリート構造体建築工程における最終段階で目地材、一般的にはシーリング材などが充填される。具体的には、溝部２１の奥側、即ち底壁側にバックアップ材が充填され、その上にコーキング材が充填される。
【００２３】
嵌合溝１２の外端側における挟持壁１３ａ，１３ｂの端部は、底壁２２に接続しておらず、各挟持壁１３ａ，１３ｂの外端側における端部と底壁２２との間には、ソケット１０Ａの長尺方向へ延びるスリット１４が形成され、嵌合溝１２の各挟持壁１３ａ，１３ｂは、嵌合溝１２の外側でスリット１４を跨ぐように形成された可撓性の連結部１５ａ，１５ｂにより底壁２２の両側部に接続されている。連結部１５ａ，１５ｂは、底壁２２の各側部に一端を連結し、該一端から挟持壁１３ａ，１３ｂの外側方へ向かって円弧状に湾曲しながら延びる可撓性の第１連結片１６ａ，１６ｂと、該第１連結片１６ａ，１６ｂの他端と挟持壁１３ａ，１３ｂの外側面とを連結する第２連結片１７ａ，１７ｂとから形成され、第２連結片１７ａ，１７ｂは、挟持壁１３ａ，１３ｂの外側面にほぼ直交して外方へ延びている。これら２つの連結片１６ａ，１７ａ及び１６ｂ，１７ｂのうち、主に撓むのは前述したように第１連結片１６ａ，１６ｂであり、第２連結片１７ａ，１７ｂは第１連結片１６ａ，１６ｂの他端を挟持壁１３ａ，１３ｂの外側で支えるために設けられている。
【００２４】
これにより、各挟持壁１３ａ，１３ｂにその内側から外側に向かって外力が加わったとき、その外力は、第２連結片１７ａ，１７ｂを図１の矢印１８で示す方向、即ち第２連結片１７ａ，１７ｂの延長方向（挟持壁１３ａ，１３ｂの外側面に対してほぼ垂直な方向）へ押し出すように作用して第１連結片１６ａ，１６ｂを撓ませる。第１連結片１６ａ，１６ｂは、挟持壁１３ａ，１３ｂの外端側で、その外側に円弧状に湾曲しながら張り出しているので、この湾曲した第１連結片１６ａ，１６ｂが外方向にその曲率を大きくするように僅かに撓むと挟持壁１３ａ，１３ｂはその全体が嵌合溝１２の外側へ広がって該嵌合溝１２の幅Ｌ１を拡張させることになる。その際、湾曲した第１連結片１６ａ，１６ｂが挟持壁１３ａ，１３ｂの外端側で、その外側に湾曲しながら張り出していることと、その撓みが僅かであることから、挟持壁１３ａ，１３ｂの移動は、外側に向かってほぼ平行な移動とみなすことができる。
【００２５】
このようなソケット１０Ａは、前述したように緩衝板Ｐの上端と下端との間の高さ寸法にほぼ等しい長さを有する長尺材であり、その長さは、通常、２．０ｍ〜２．５ｍである。このソケット１０Ａにおける対向する各挟持壁１３ａ，１３ｂの内面には、嵌合溝１２に緩衝板Ｐの壁厚方向Ｘにおける一方の端部を嵌め込んだとき緩衝板Ｐが簡単に抜け出ないように２つの抜け止め用の爪１９が形成されている。この実施形態において、抜け止め用の爪１９は、図１に示されるように各挟持壁１３ａ，１３ｂの内面にその高さ方向へ連続的に延び、これらの爪１９は、嵌合溝１１を閉鎖している底壁２２へ向かって斜めに突出し、その先端部は、緩衝板Ｐの表面から突き刺さって内部に食い込み可能に、鋭利な先細り状に形成されている。
【００２６】
このような抜け止め用の爪１９としては、ゴム又は軟質塩化ビニル樹脂などの弾力性のある材料から形成することもできる。また、抜け止め用の爪１９を各挟持壁１３ａ，１３ｂの内面にその高さ方向へ断続的に形成することで、嵌合溝１２に嵌め込まれた緩衝板Ｐがソケット１０Ａに対してその長尺方向への動きを防止することができる。すなわち、抜け止め用の爪１９が、ソケット１０Ａの長尺方向に断続的に形成されていると、個々の爪１９が緩衝板Ｐの表面から内部に食い込むので緩衝板Ｐが長尺方向へも動き難くなることからの、挟持壁１３ａ，１３ｂの挟持力と共に緩衝板Ｐの長尺方向への動きを防止することができる。
【００２７】
次に、コンクリート構造体の建築に際し、この実施形態に係る緩衝板及び目地材設置用ソケット１０Ａの設置方法について説明する。コンクリート製の壁Ｗを形成する際には、そのための型枠（図示せず）が設置される。そのときに、ソケット１０Ａの嵌合溝１２に、形成される壁Ｗの厚さ寸法より短い幅寸法を有する緩衝板Ｐの一端部を嵌め込んだ組み立て体が、壁Ｗの所定スパン位置に形成されることになる間隔部Ｓに設置される。緩衝板Ｐは、従来のものと同様にポリスチレンフォーム等の樹脂フォーム材から形成された板状体の両面にアルミシートのような耐火性のフィルム又はシートを貼り付けて形成されている。
【００２８】
通常、緩衝板Ｐは、その厚さがソケット１０Ａにおける嵌合溝１２の幅寸法Ｌ１にほぼ一致する寸法で製作されるが、製造上の問題などから嵌合溝１２の幅Ｌ１より若干大きい厚さＬ２で製作された場合、緩衝板Ｐの端部を嵌合溝１２に圧入すると、図２に示されるように連結部１５ａ，１５ｂの第１連結片１６ａ，１６ｂが撓んで対向する挟持壁１３ａ，１３ｂが外側に広がるので、緩衝板Ｐの端部を容易に嵌め込むことができる。そのため、緩衝板Ｐの厚さ寸法及びソケット１０Ａにおける嵌合溝１２の幅寸法が設計上の寸法に対して高い精度で守られている必要はない。この場合、挟持壁１３ａ，１３ｂの拡張が、その外端側の更にその外側に位置する第１連結片１６ａ，１６ｂの撓みによって生じるため、前述したように挟持壁１３ａ，１３ｂ全体がほぼ平行移動するように拡張することができ、よって拡張後も挟持壁１３ａ，１３ｂの内面全体が緩衝板Ｐの表裏面をしっかり把持してこれを保持することができる。
【００２９】
緩衝板Ｐの端部がソケット１０Ａの嵌合溝１２に圧入されると各挟持壁１３ａ，１３ｂの内面に形成されている抜け止め用の爪１９の先端部が緩衝板Ｐの表面に食い込んで、ソケット１０Ａが緩衝板Ｐの端部から外れるのを防止する。ソケット１０Ａは、壁Ｗを形成するための型枠内に設置したセパレーターなどにより支持された保持金具（図示せず）を用いるなどして適宜に支えられる。嵌合溝１２の開口側に位置する各挟持壁１３ａ，１３ｂの端部には、保持金具の一部をソケット１０Ａに連結して支持するため金具係止用の返し部２４が従来と同様に形成されている。ソケット１０Ａがこのようにして所定位置に設置されると、型枠内にコンクリートが打設される。型枠内へのコンクリートの打設が進む工程で、適宜、保持金具を取り外すことが好ましいが、そのままコンクリートに埋め込んでしまってもよい。
【００３０】
このようにして、ソケット１０Ａを用いて緩衝板Ｐが、所定スパンの壁Ｗと壁Ｗとの間隔部Ｓ、或いは壁Ｗと柱との間隔部に設置され、打設したコンクリートが硬化した後に型枠が取り外されると、壁Ｗの外面側には、間隔部Ｓに設置したソケット１０Ａにおける目地材充填用溝部２１が現れている。そこで、この溝部２１に前述したような目地材、即ち溝部２１の底壁２２側にバックアップ材が充填され、その上にコーキング材が充填される。このようにして建造されたコンクリート構造体が地震などによる比較的に大きな揺れを受けたとき、コンクリート構造体、即ちコンクリート製の壁や柱に作用する応力を緩衝板Ｐが吸収し、コンクリート構造体にクラックが入ったり、破壊したりするのを防止することができる。
【００３１】
次に、本発明の第２の実施形態に係る緩衝板及び目地材設置用ソケット（以下、単に「ソケット」、と称する）１０Ｂについて図３及び図４を参照して説明する。なお、第２の実施形態に係るソケット１０Ｂの構成において、第１の実施形態に係るソケット１０Ａと同一又は相当する部分は、図３及び図４に同一の参照符号を付けてその説明を省略する。この第２の実施形態に係るソケット１０Ｂは、第１の実施形態に係るソケット１０Ａが備える、緩衝板Ｐの端部を保持するソケット部１１と、目地材保持部２０との他にソケット部１１と目地材保持部２０との間に不燃材又は断熱材（図示せず）などの詰め物を入れる収容部３０を更に備えている。
【００３２】
この収容部３０は、不燃材又は断熱材を実際に収容する筒状の空間部３１と、この空間部３１と嵌合溝１２とを仕切る仕切り板３２とから形成されている。仕切り板３２は、嵌合溝１２を画成する底壁でもあり、また空間部３１を画成する一壁面でもある。すなわち、筒状の空間部３１は、目地材充填用溝部２１の底壁２２と、その底壁２２の各側部から嵌合溝１２側に延びる対向する側壁３１ａ，３１ｂと、前述した仕切り板３２とによって画成されている。この仕切り板３２は、前述したように空間部３１と嵌合溝１２とを仕切るものであり、従って嵌合溝１２の外端側は、仕切り板３２により閉鎖される。かかる仕切り板３２は、その両側部をスリット１４に、ソケット１０Ｂの長尺方向、即ち壁Ｗの高さ方向から挿入して着脱可能に取り付けられている。スリット１４は、嵌合溝１２の外端側における挟持壁１３ａ，１３ｂの端部と空間部３１を画成している対向側壁３１ａ，３１ｂの端部との間に形成されている。
【００３３】
スリット１４から突出する仕切り板３２の両側部には、それぞれ係止爪３２ａ，３２ｂ（図４参照）が形成され、該各係止爪３２ａ，３２ｂは、嵌合溝１２の各挟持壁１３ａ，１３ｂの外側面に対峙するように仕切り板３２の両側部をＬ字状に曲げて形成されている。このとき、両係止爪３２ａ，３２ｂ間の幅寸法は、両挟持壁１３ａ，１３ｂにその内側から外力が及ぼされていない状態での両挟持壁１３ａ，１３ｂの外側面間の幅寸法より僅かに大きく形成されている。言い換えると、図３に示されるように嵌合溝１３に緩衝板Ｐの端部が嵌め込まれていない状態での各挟持壁１３ａ，１３ｂにおける外端側の外面と仕切り板３２における係止爪３２ａ，３２ｂの内面との間には僅かな隙間が形成されるということを意味している。従って、各挟持壁１３ａ，１３ｂは、この隙間分だけ外側に広がることができる。
【００３４】
コンクリート構造体を建築する際にこのソケット１０Ｂを所定位置に設置する手順について説明すると、最初に、仕切り板３２がソケット１０Ｂから取り外される。仕切り板３２がソケット１０Ｂから取り外されると、空間部３１は嵌合溝１２に開放されて嵌合溝１２に連続する。その後、不燃材が、嵌合溝１２の開口部１３ｃから空間部３１内に入れられる。不燃材は、ソケット１０Ｂとほぼ同じ長尺方向長さ（２．０ｍ〜２．５ｍ）の帯状をしたもので、空間部３１の長尺方向端面に現れる領域内に密に収まるような端面形状と大きさをしている。そのため、このような不燃材を従来行ってきたようにソケット１０Ｂの長尺方向端部から空間部３１内に差し込んで挿入することは、非常に難しい作業であった。しかし、この実施形態のソケット１０Ｂのように空間部３１を画成している仕切り壁３２が取り外され、空間部３１が嵌合溝１２に開放されると、ソケット１０Ｂの長尺方向に開いた嵌合溝１２の開口部１３ｃから帯状の不燃材を入れることができるので、非常に作業が容易となり、その組み立て時間の短縮化と作業労力の軽減化を図ることができる。
【００３５】
前述した第２の実施形態に係るソケット１０Ｂでは、仕切り板３２の両側部に形成された係止爪３２ａ，３２ｂが、嵌合溝１２を画成する各挟持壁１３ａ，１３ｂの外側の方向にＬ字状に曲げて形成されていたが、この発明では、このような係止爪３２ａ，３２ｂに限定されるものではない。すなわち、図５には、本発明の第３の実施形態に係る緩衝板及び目地材設置用ソケット１０Ｃが示されている。図５では、このソケット１０Ｃをその中心線より半分だけ示し、他の部分を省略している。第３の実施形態に係るソケット１０Ｃの構成においても、第１及び第２の実施形態に係るソケット１０Ａ，１０Ｂと同一又は相当する部分は、図５に同一の参照符号を付けてその説明を省略する。このソケット１０Ｃでも、両側部がＬ字状に曲げられて係止爪３２ａ，３２ｂを形成している仕切り板３２を備えているが、この実施形態に係るソケット１０Ｃでは、仕切り板３２の係止爪３２ａ，３２ｂが、その内面を空間部３１の対向側壁３１ａ，３１ｂにおける外面に接触するように曲げて形成されている。すなわち、空間部３１を画成する対向側壁３１ａ，３１ｂは、緩衝板Ｐの嵌合溝１２への取り付けによって広がることはないので、ソケット１０Ｃに緩衝板Ｐを取り付ける前の状態において仕切り板３２の係止爪３２ａ，３２ｂの内面が筒状部３１を画成する対向側壁３１ａ，３１ｂの外面に接触していてもよい。
【００３６】
しかし、図３及び図４に示される第２の実施形態のソケット１０Ｂのように係止爪３２ａ，３２ｂが挟持壁１３ａ，１３ｂの外側面の方向に曲げて形成されている場合、この係止爪３２ａ，３２ｂが挟持壁１３ａ，１３ｂの広がりを所定位置で規制する作用（ストッパーとしての機能）を有することになるので、該ソケット１０Ｂに本来取り付けるべきではない大きい厚さの緩衝板Ｐを誤って無理に押し込んで取り付けようとした時に挟持壁１３ａ，１３ｂを破損させることから防止できる。
【００３７】
以上説明したように、本発明の緩衝板及び目地材設置用ソケットによれば、緩衝板Ｐの端部を嵌め込む嵌合溝１２を画成する相対向する挟持壁１３ａ，１３ｂがそれぞれスリット１４により目地材保持部２０と不連続にされ、これら挟持壁１３ａ，１３ｂが、スリット１４をその外側で跨ぐように配置された可撓性の連結部１５ａ，１５ｂで目地材保持部２０に接続されているので、挟持壁１３ａ，１３ｂに内側から外力が掛かったときにでも平行移動するようにその全体が外側に移動して嵌合溝１２の溝幅が拡張される。その結果、嵌合溝１２の幅Ｌ１より若干大きい厚さＬ２の緩衝板Ｐであってもその端部を嵌合溝１２に容易に嵌合することができる。
【図面の簡単な説明】
【００３８】
【図１】本発明の第１の実施形態に係る緩衝板及び目地材設置用ソケットを部分的に示す斜視図である。
【図２】図１に示される緩衝板及び目地材設置用ソケットの嵌合溝にその幅寸法より若干大きい厚さの緩衝板の端部を嵌め込んだときの状態を示す平面図である。
【図３】本発明の第２の実施形態に係る緩衝板及び目地材設置用ソケットを部分的に示す図１と同様な斜視図である。
【図４】図３に示される緩衝板及び目地材設置用ソケットの嵌合溝にその幅寸法より若干大きい厚さの緩衝板の端部を嵌め込んだときの状態を示す図２と同様な平面図である。
【図５】本発明の第３の実施形態に係る緩衝板及び目地材設置用ソケットをその中心線より半部分を示す平面図である。
【符号の説明】
【００３９】
Ｗ    壁（コンクリート構造体）
Ｐ    緩衝板
Ｓ    壁と壁との間の間隔部
１０Ａ，１０Ｂ，１０Ｃ    緩衝板及び目地材設置用ソケット
１１    ソケット部
１２    嵌合溝
１３ａ，１３ｂ    挟持壁
１４    スリット
１５ａ，１５ｂ    連結部
１６ａ，１６ｂ    第１連結片
１７ａ，１７ｂ    第２連結片
１９    抜け止め用の爪
２０    目地材保持部
２１    目地材充填用溝部
３０    収容部
３１    空間部
３１ａ，３１ｂ    空間部の対向側壁
３２    仕切り板
３２ａ，３２ｂ    係止爪
【図１】
2008308947.tif 000003
【図２】
2008308947.tif 000004
【図３】
2008308947.tif 000005
【図４】
2008308947.tif 000006
【図５】
2008308947.tif 000007